(57)【要約】【課題】１部品で構成され、緩衝構造を備えた折畳式梱包箱であって、緩衝空間を任意の位置に配設でき、かつ主収納室以外の副収納室の形成も可能な緩衝一体型紙器を得る。【解決手段】１枚の展開紙材１１を折り曲げて内部に収納室Ｏ１、Ｏ２を形成する緩衝一体型紙器１０において、収納室Ｏ１、Ｏ２の前後左右上下の６面全てに、それぞれ任意の位置に緩衝空間Ｅ１、Ｅ２、Ｅ３を設けている。【選択図】        図２
2004224345.tif 000002
【特許請求の範囲】
【請求項１】
１枚の展開紙材を折り曲げて内部に収納室を形成する緩衝一体型紙器において、
前記収納室の前後左右上下の６面全てに、それぞれ任意の位置に緩衝空間を設けたことを特徴とする緩衝一体型紙器。
【請求項２】
胴部を形成する前記展開紙材の対向する２面の下部フラップにより、６面のうちの５面の緩衝空間を形成する切れ目又は折り目を設け、他の胴部の上部フラップにより他の１面の緩衝空間を形成したことを特徴とする請求項１記載の緩衝一体型紙器。
【請求項３】
前記緩衝空間は、前記胴部の幅と同じか、この幅より小さいフラップにより形成したことを特徴とする請求項１記載の緩衝一体型紙器。
【請求項４】
前記収納室の他に少なくとも１つの副収納室を設けたことを特徴とする請求項１乃至３のいずれかに記載の緩衝一体型紙器。
【請求項５】
前記副収納室は、上部フラップにより形成したことを特徴とする請求項４記載の緩衝一体型紙器。
【請求項６】
前記１枚の展開紙材の底面を形成するフラップを延長して、前記収納室の壁面を形成したことを特徴とするとする請求項１乃至５のいずれかに記載の緩衝一体型紙器。
【発明の詳細な説明】
【０００１】
【発明の属する技術分野】
本発明は、箱体の６面全てにそれぞれ任意の位置に緩衝空間を有する緩衝一体型紙器に関する。
【０００２】
【従来の技術】
緩衝機能は、梱包箱外部からの衝撃を内容品の性質上もしくは販売・物流の都合上、直接内容品に伝達させたくない場合に付与する機能である。緩衝機能を付与する手段は、梱包箱とは別体の部材を用い、２部品以上で構成される場合と、梱包箱の形状を工夫して１枚の展開紙材から構成される場合に大別されるが、いずれも内容品への衝撃が直接伝達するのを防止する目的で使用されている。
【０００３】
従来の２部品以上で構成される緩衝機能を有する梱包箱として、以下にその概要を記述する「包装箱及び緩衝材」（従来例１）がある（例えば、特許文献１参照。）。
【０００４】
この包装箱は、対角線方向に折り畳み可能な直方体状の胴部及び該胴部の両端部からそれぞれ延出する内、外フラップを備えた包装箱において、前記胴部の内面に沿って設けられ、内部に被包装体が収納される収納空間が形成された直方体状の内壁と、該内壁の内面と前記胴部の内面との間に所定の間隔をもって並設された縦間隔保持片とからなる緩衝部を備え、前記胴部を対角線方向に折り畳んだとき、前記内壁は、その対角線が前記胴部の対角線と一致した状態で前記胴部の対角線方向に折り畳み可能になっており、前記縦間隔保持片は、前記胴部の対角線方向に揺動可能になっているというものである。
【０００５】
つぎに、従来の１部品で構成されるされる緩衝機能を有する梱包箱の一つとして、以下にその概要を記述する「緩衝構造を備えた折畳式梱包箱」（従来例２）がある（例えば、特許文献２参照。）。
【０００６】
この緩衝構造を備えた折畳式梱包箱は、一枚の段ボールから直方体の各面が、少なくとも部分的に中空二重壁構造を備えた梱包箱が折り上がる様にしたものであって、段ボールは、箱の周壁を構成する側壁面の各下辺及び上辺に、底片および蓋片を連設した形態を備えており、底片には、箱の内側向きにコ字形に折曲して部分的な内底面および内壁面を備えた底側緩衝構造を形成させる折り目（及び切れ目）を設け、蓋片には、箱の内側向きにコ字形に折曲して部分的な内蓋面及び内壁面を備えた蓋側緩衝構造を形成させる折り目及び切れ目を設けた構成を備えるというものである。
【０００７】
さらに、従来の１部品で構成されるされる緩衝機能を有する梱包箱の一つとして、以下にその概要を記述する「緩衝構造を一体に備えた梱包箱」（従来例３）がある（例えば、特許文献３参照。）。
【０００８】
この緩衝構造を一体に備えた梱包箱は、一枚の段ボールから、梱包物品を包囲する２重壁構造を備えた梱包箱が折り上がる様に構成したものであって、段ボールは箱の底を組み上げる為の、互いに噛み合う形状を備えた底フラップと、夫々角筒状に折曲して二重底部を形成させる底フラップと、コ字形に折曲して二重蓋部を形成させる蓋フラップとを備え、二重底部に、梱包物品を嵌め込ませる段差状の収容凹部を形成させるための切れ目と折り目を設ける。二重底部、二重蓋部の側面には、ほぼ菱形をした座屈用切れ目を設け、更に、これ等の切れ目の側端に任意の長さの水平切れ目を連設するとよいというものである。
【０００９】
【特許文献１】
実開平５−７７０２１号公報（第６−１２頁、図１−図７）
【特許文献２】
特開平１１−９１７６５号公報（第３−５頁、図１−図１１）
【特許文献３】
特開２００２−２４９１２７号公報（第２−４頁、図１−図８）
【００１０】
【発明が解決しようとする課題】
しかるに、上記従来技術にはつぎのような問題点があった。すなわち、従来例１の「包装箱及び緩衝材」は、２部品以上で構成されるタイプであり、任意の位置に緩衝空間の設定が可能であるが、材料使用量が多い上に、別工程で作成された２部品の接合作業を必要としている。また、包装箱の内壁に沿って緩衝空間を配置するため、２室以上に区切ることは不可能である。
【００１１】
従来例２の「緩衝構造を備えた折畳式梱包箱」は、１部品で構成するタイプであるが、隣接するフラップ同士が干渉し、任意の位置に緩衝空間の設定ができない場合が発生する。また、折畳式梱包箱を構成する全てを使用して緩衝空間を構成しており、緩衝空間をもつ主収納室以外の副収納室を形成することができないという問題がある。
【００１２】
従来例３の「緩衝構造を一体に備えた梱包箱」も、１部品で構成するタイプであるが、内容品を収納する収納室の位置は、上下一対の緩衝空間で構成されているため、梱包箱の中央付近に限定されるか、もしくは位置の変更が困難になっている。
【００１３】
本発明は、上記従来の問題点に鑑みてなされたもので、請求項１乃至６に係る発明の課題は、１部品で構成され、緩衝構造を備えた折畳式梱包箱であって、緩衝空間を任意の位置に配設でき、かつ主収納室以外の副収納室の形成も可能な緩衝一体型紙器を提供することである。
【００１４】
【課題を解決するための手段】
上記課題を解決するために、請求項１乃至６に係る発明では、１枚の展開紙材を折り曲げて内部に収納室を形成する緩衝一体型紙器において、前記収納室の前後左右上下の６面全てに、それぞれ任意の位置に緩衝空間を設けている。また、緩衝一体型紙器の上面または下面の対向した２つのフラップで、６面体である紙器の全６方向のうち５方向からの緩衝空間をとり、残る１方向の緩衝空間は、すでに対向した２フラップ以外の任意のフラップを使用して形成することで、原紙から展開紙材を型抜きする際の、取り都合の制約を回避し、任意の大きさの緩衝空間をそれぞれの方向に設定した１部品構成の緩衝一体型紙器を構成する機能を有している。また、紙器として最低限必要な６面を除いて、利用可能なフラップ部６ヶ所のうち、緩衝空間の設定に使用した３ヶ所を除いた残りに３フラップを用いて、主収納室の干渉空間を保持したまま、３室までの副収納室を形成することが可能である。
【００１５】
【発明の実施の形態】
以下具体的な実施の形態について説明する。
【００１６】
（実施の形態１）
図１〜図１３は実施の形態１を示し、図１は紙器の上部を開放した斜視図、図２は図１でフラップＦ３を閉じた状態のＡ−Ａ断面図、図３は図２で更にフラップＦ７、Ｆ６、Ｆ４を閉じた状態のＢ−Ｂ断面図、図４は紙器の展開紙材の平面図、図５は展開紙材の接合部を示す斜視図、図６は第１の折り込み過程の斜視図、図７は第２の折り込み過程の斜視図、図８は第３の折り込み過程の斜視図、図９は第４の折り込み過程の斜視図、図１０は第５の折り込み過程の斜視図、図１１は紙器の上部の緩衝空間を形成した斜視図、図１２は変形例１の紙器の組上がりの斜視図、図１３は変形例１の紙器の展開紙材の平面図である。
【００１７】
図１において、緩衝一体型紙器としての紙器１０は、中央に内容品を収納する収納室としての主収納室Ｏを設け、その周囲の前後左右面および下面の５面に緩衝空間を設け、その上面の１面にも緩衝空間を形成しているものである。主収納室Ｏは、紙器１０の下部にて、下部フラップとしての対向するフラップＦ１、Ｆ２により形成されており、図２に示すように、フラップＦ１を切り曲げて形成された収納部Ｏ１と、フラップＦ２を切り曲げて形成された収納部Ｏ２とにより構成されている。主収納室Ｏの周囲には、フラップＦ１、Ｆ２により、それぞれ緩衝空間Ｅ１、Ｅ２が対向して形成され、主収納室Ｏの前後面、左右面および下面の５面からの衝撃を吸収できるようになっている。
【００１８】
また、フラップＦ１、Ｆ２の周囲は、側壁Ｋ１、Ｋ２、Ｋ３、Ｋ４によって囲繞されており、側壁Ｋ１と側壁Ｋ４とが後述する側壁Ｋ４から突設された接着部Ｈ１、Ｈ２（図５参照）により接合されている。紙器１の底部は、図３に示すように、フラップＦ７の先端部Ｆ７ａが、側壁Ｋ４とフラップＦ１、Ｆ２の端面との間に挿入されて形成されている。紙器１０の上部では、主収納室Ｏに内容品を収納後、上部フラップとしてのフラップＦ３により被覆され、さらにフラップＦ５、Ｆ６が折り込まれてから、フラップＦ４により被覆され、フラップＦ４の先端の挿入片Ｆ４ａが、フラップＦ３の基端に穿設された挿入孔Ｆ３ａに嵌装されて、図３に示すように、上部の緩衝空間Ｅ３が形成される。これにより、下部の緩衝空間Ｅ１、Ｅ２と、上部の緩衝空間Ｅ３とにより、紙器１０の６面に緩衝空間が形成される。
【００１９】
図４において、紙器１０の展開紙材１１は、側壁Ｋ１、Ｋ２、Ｋ３、Ｋ４と、フラップＦ１、Ｆ２、Ｆ３、Ｆ４、Ｆ５、Ｆ６、Ｆ７とからなっている。各側壁Ｋ１〜Ｋ４とフラップＦ１〜Ｆ７とは、互いに折れ目で連結された一枚の紙材からなっている。なお、フラップＦ１、Ｆ２の斜線は、それ自体の範囲を表示している。フラップＦ１、Ｆ２の中央には、収納部Ｏ１、Ｏ２を形成するための切れ目がそれぞれ実線で、折り曲げされる折り目は破線で示されている。また、側壁Ｋ２とフラップＦ３との境界部分には、挿入孔Ｆ３ａが穿設され、同時にフラップＦ４の先端の挿入片Ｆ４ａをロックするための抜け止め片Ｆ３ｂの切れ目が実線で表示されている。また、挿入片Ｆ４ａの基端にて中央の実線で表示する切れ目は、抜け止め片Ｆ３ｂが挿入されてロックするためのものである。さらに、側壁Ｋ４から突出した部分は、側壁Ｋ１への接着部Ｈ１である。
【００２０】
図１および図４において、緩衝空間設定に使用したフラップＦ１、Ｆ２、Ｆ３の緩衝空間設定幅Ｓ１、Ｓ２、Ｓ３、Ｓ４、Ｓ５は任意の幅に設定可能である。収納される内容品によって、図１における主収納室Ｏの長さＮ１、幅Ｎ２、深さＮ３はほぼ決まる。主収納室Ｏの長さＮ１は、緩衝空間設定幅Ｓ１、Ｓ２で決まる。幅Ｎ２は、側壁Ｋ２、Ｋ４の幅Ｗ２とフラップＦ１、Ｆ２の緩衝空間設定幅Ｓ４、切曲げ幅Ｕ１で決まる。深さＮ３は切曲げ深さＵ２で決まる。この構造上から、緩衝空間設定幅Ｓ１、Ｓ２と内容品を収納する主収納室Ｏ１、Ｏ２の長さＮ１との和よりも、側壁Ｋ１、Ｋ３の幅Ｗ１は必ず大きく、緩衝空間設定幅Ｓ３、Ｓ４、Ｓ５は、それぞれのフラップの垂直方向へのみ影響を及ぼすので、隣接する他のフラップと干渉することはない。
【００２１】
つぎに、上記構成の紙器１の折り込み方法について説明する。図４に示す展開紙材１１は原紙よりこの形状に打ち抜かれ、上述のように必要な切れ目及び折り目を設けて形成されている。この展開紙材１１は、図５に示すように、接着部Ｈ１、Ｈ２の部分に接着剤を塗布して互いに接合する。この接着部Ｈ１、Ｈ２を接着すると、図６に示す状態となり、側壁Ｋ１、Ｋ２、Ｋ３、Ｋ４により紙器１０の胴部が形成され、フラップＦ１、Ｆ２は互いに対向する位置になっている。つぎに、図７に示すように、フラップＦ１を折り込んで、収納部Ｏ１および緩衝空間Ｅ１を形成する。同様にして、フラップＦ２を折り込んで、収納部Ｏ２および緩衝空間Ｅ２を形成し、胴部内にフラップＦ１、Ｆ２を更に折り込んで収納すると、図８に示す状態となる。図８において、フラップＦ７とその差込部Ｆ７ａを、側壁Ｋ４とフラップＦ１、Ｆ２との間に差し込めば、紙器１０の下部が完成する。図９は、紙器１０の下部を完成させ、図３における紙器１０の底面Ｂを下にして、上方を開放した状態を示している。
【００２２】
つぎに、紙器１０の上部を完成させる方法について説明する。図１０において、フラップＦ３の基端と先端との緩衝空間設定幅Ｓ３を折り込み、フラップＦ３を紙器１０の内部へ落とし蓋のように入れ込むと、上部の空間が緩衝空間Ｅ３（図３参照）となり、この状態を図１１に示している。以降、一般的な紙器と同様に、開口内フラップＦ５、Ｆ６と開口部フラップＦ４とを閉じれば、紙器１０として完成する。
【００２３】
本実施の形態によれば、フラップ同士が干渉しないように、展開紙材に形状寸法を設定し、折り込み方向に直線的なフラップを形成するとともに、下部フラップの対向する２つのフラップで５面の緩衝空間を設定し、１つの上部フラップのみで１つの上部緩衝空間を形成したので、下部フラップのレイアウト変更により紙器の収納室および下部の緩衝空間を任意の位置に配設可能となった。
【００２４】
（変形例１）
変形例１は実施の形態１の緩衝一体型紙器の変形例を示す。実施の形態１では、内容品の収納室Ｏを紙器１０の中央に設けたが、図１２に示すように、紙器１２の内容品の主収納室Ｏは、上下方向の位置は実施の形態１と同様であるが、前後左右の位置は中央から偏って形成されている。図１３に示すように、展開紙材１３の緩衝空間設定幅Ｓ１、Ｓ２、Ｓ５は実施の形態１とは変更されており、特に、緩衝空間設定幅Ｓ１、Ｓ２は互いに異なる寸法に設定されている。しかし、機能的には、紙器１２は紙器１０と同一である。この変形例で示すように、対向した２つのフラップを利用すれば、紙器の５方向の緩衝空間を確保し、収納室の位置を変更することができる。
【００２５】
（実施の形態２）
図１４〜図１７は実施の形態２を示し、図１４は紙器の上部を開放した斜視図、図１５は紙器の展開紙材の平面図、図１６は変形例２の紙器の組上がりの斜視図、図１７は変形例２の紙器の展開紙材の平面図である。本実施の形態の紙器１４（図１４参照）、紙器１６（図１６）の基本的な構成は、実施の形態１の紙器１０（図１参照）と同一であり、異なる部分のみ説明し同一の部分は同一の符号を付し説明を省略する。
【００２６】
図１４において、紙器１４には副収納室Ｖ１が形成されている。副収納室Ｖ１は、フラップＦ１とフラップＦ５に跨がって形成され、フラップ５側の中央に配置されている。図１５に示すように、展開紙材１５のフラップＦ１には罫線・切り込み部Ｖ３、フラップＦ５には罫線・切り込み部Ｖ２が配置され、罫線・切り込み部Ｖ３の上に、罫線・切り込み部Ｖ２を重ねて折り込むことによって、副収納室Ｖ１が形成されるようになっている。また、フラップＦ２側にも、同様な加工が可能であり、複数の副収納室を付与することができる。
【００２７】
本実施の形態によれば、展開紙材の内部に、罫線・切り込み部を追加することのみによって、１部材構成で主収納室と副収納室とを確保し、展開紙材を有効に利用することができる。
【００２８】
（変形例２）
変形例２は、実施の形態２の緩衝一体型紙器の変形例を示す。実施の形態２では、副収納室Ｖ１を紙器１４のフラップＦ５側の中央に設けたが、変形例２では、図１６に示すように、副収納室Ｖ１１を紙器１４のフラップＦ５側の端部に設けている。図１７に示すように、展開紙材１７のフラップＦ１の罫線・切り込み部Ｖ１３、フラップＦ５の罫線・切り込み部Ｖ１２は、共にフラップＦ１、Ｆ５の端部に配置されている。このように、緩衝空間が重要でない付属品などの収納には、端部に副収納室を設けることができる。
【００２９】
（実施の形態３）
図１８〜図２２は実施の形態３を示し、図１８は紙器の上部を開放した斜視図、図１９は紙器の展開紙材の平面図、図２０はカバーの組上がり過程の斜視図、図２１は変形例３の紙器の組上がり過程の斜視図、図２２は変形例３の紙器の展開紙材の平面図である。本実施の形態の紙器１８（図１８参照）、紙器２１（図２１）の基本的な構成は、実施の形態１の紙器１０（図１参照）と同一であり、異なる部分のみ説明し同一の部分には同一の符号を付し説明を省略する。
【００３０】
図１８において、紙器１８は、紙器１０と同一の緩衝空間を持つ緩衝一体型紙器であるが、これまでに説明した実施の形態１および２において、主収納部Ｏに発生する隙間を塞ぐために、カバーＣを追加したものである。このカバーＣは、図１９の展開紙材１９に示すように、紙器１８の底部を構成するフラップＦ７とその差し込み部Ｆ７ａを延長して追加され、緩衝空間設定幅Ｓ１、Ｓ２、Ｓ３、Ｓ４、Ｓ５には影響はない。よって、緩衝空間幅の任意設定機能を保持した上で、主収納室Ｏの底面および両端の壁面にある隙間を塞いでいる。
【００３１】
図２０は、カバーＣの組上がり過程を図示しているので、底面のフラップＦ１、Ｆ２間の隙間Ｇ１、フラップＦ１の側壁の隙間Ｇ２およびフラップＦ２の側壁の隙間Ｇ３が塞がれる状況がよく理解される。
【００３２】
本実施の形態によれば、主収納室Ｏの隙間が塞がれるので、主収納室Ｏと殆ど同１の大きさの内容品のみではなく、複数の小さな内容品であっても隙間からこぼれることなく収納することができる。
【００３３】
（変形例３）
変形例３は実施の形態３の緩衝一体型紙器の変形例を示す。図２１に示すように、本変形例の紙器２０は実施の形態３の紙器１８と同様に、主収納室ＯにはカバーＣが設けられており、これに副収納室Ｖ１を実施の形態２と同様に追加したものである。図２２に示すように、展開紙材２１は、実施の形態３の展開紙材１９をベースとして、展開紙材２１のフラップＦ１には罫線・切り込み部Ｖ３、フラップＦ５には罫線・切り込み部Ｖ２が配置され、罫線・切り込み部Ｖ３の上に、罫線・切り込み部Ｖ２を重ねて折り込むことによって、副収納室Ｖ１が形成されるようになっている。さらに、側壁Ｋ４には、開口部ロック機構Ｌ１を追加し、対応するフラップＦ７の切れ目Ｌ２と係合させ、紙器２１の底部の開放を防止している。
【００３４】
図２１の紙器２１および図２２の展開紙材２２で示すように、実施の形態２および３で付与される副収納室およびカバー類は、状況に応じて双方同時または必要な一方の機構のみでも自由に選択、追加することができる。図２２においても、緩衝空間幅の任意設定機能は保持した上で、隙間のない主収納室および副収納室を提供することができる。
【００３５】
【発明の効果】
請求項１に係る発明によれば、収納室の前後左右上下の６面全てに、それぞれ任意の位置に緩衝空間を設けたことにより、内容品の形状寸法にフレシキブルに対応できる緩衝一体型紙器を得ることができる。
【００３６】
請求項２に係る発明によれば、胴部を形成する展開紙材の対向する２面の下部フラップにより、６面のうちの５面の緩衝空間を形成する切れ目又は折り目を設け、他の胴部の上部フラップにより他の１面の緩衝空間を形成したことにより、収納室および緩衝空間の位置を容易に変更できる緩衝一体型紙器を得ることができる。
【００３７】
請求項３に係る発明によれば、緩衝空間は、胴部の幅と同じか、この幅より小さいフラップにより形成したことにより、隣合うフラップ同士が干渉することなく、緩衝空間の設定を容易に行うことができる。
【００３８】
請求項４に係る発明によれば、収納室の他に少なくとも１つの副収納室を設けたことにより、内容品の付属品等も収納可能な緩衝一体型紙器を得ることができる。
【００３９】
請求項５に係る発明によれば、副収納室は、上部フラップにより形成したことにより、内容品の付属品等の収納、取り出しを容易にすることができる。
【００４０】
請求項６に係る発明によれば、１枚の展開紙材の底面を形成するフラップを延長して、前記収納室の壁面を形成したことにより、収納室の隙間が塞がれるので、収納室と殆ど同一の大きさの内容品のみではなく、複数の小さな内容品であっても隙間からこぼれることなく収納することができる。
【図面の簡単な説明】
【図１】実施の形態１の紙器の上部を開放した斜視図である。
【図２】実施の形態１の図１でフラップＦ３を閉じた状態のＡ−Ａ断面図である。
【図３】実施の形態１の図２で更にフラップＦ５、Ｆ６、Ｆ４を閉じた状態のＢ−Ｂ断面図である。
【図４】実施の形態１の紙器の展開紙材の平面図である。
【図５】実施の形態１の展開紙材の接合部を示す斜視図である。
【図６】実施の形態１の第１の折り込み過程の斜視図である。
【図７】実施の形態１の第２の折り込み過程の斜視図である。
【図８】実施の形態１の第３の折り込み過程の斜視図である。
【図９】実施の形態１の第４の折り込み過程の斜視図である。
【図１０】実施の形態１の第５の折り込み過程の斜視図である。
【図１１】実施の形態１の紙器の上部の緩衝空間を形成した斜視図である。
【図１２】実施の形態１の変形例１の紙器の組上がりの斜視図である。
【図１３】実施の形態１の変形例１の紙器の展開紙材の平面図である。
【図１４】実施の形態２の紙器の上部を開放した斜視図である。
【図１５】実施の形態２の紙器の展開紙材の平面図である。
【図１６】実施の形態２の変形例２の紙器の組上がりの斜視図である。
【図１７】実施の形態２の変形例２の紙器の展開紙材の平面図である。
【図１８】実施の形態３の紙器の上部を開放した斜視図である。
【図１９】実施の形態３の紙器の展開紙材の平面図である。
【図２０】実施の形態３のカバーの組上がり過程の斜視図である。
【図２１】実施の形態３の変形例３の紙器の組上がり過程の斜視図である。
【図２２】実施の形態３の変形例３の紙器の展開紙材の平面図である。
【符号の説明】
１０  紙器
１１  展開紙材
Ｏ１  収納部
Ｏ２  収納部
Ｅ１  下部の緩衝空間
Ｅ２  下部の緩衝空間
Ｅ３  上部の緩衝空間
【図１】
2004224345.tif 000003
【図２】
2004224345.tif 000004
【図３】
2004224345.tif 000005
【図４】
2004224345.tif 000006
【図５】
2004224345.tif 000007
【図６】
2004224345.tif 000008
【図７】
2004224345.tif 000009
【図８】
2004224345.tif 000010
【図９】
2004224345.tif 000011
【図１０】
2004224345.tif 000012
【図１１】
2004224345.tif 000013
【図１２】
2004224345.tif 000014
【図１３】
2004224345.tif 000015
【図１４】
2004224345.tif 000016
【図１５】
2004224345.tif 000017
【図１６】
2004224345.tif 000018
【図１７】
2004224345.tif 000019
【図１８】
2004224345.tif 000020
【図１９】
2004224345.tif 000021
【図２０】
2004224345.tif 000022
【図２１】
2004224345.tif 000023
【図２２】
2004224345.tif 000024